(57)【要約】【課題】熱変換可能な赤外線ＬＥＤ放熱板付熱変換具の動作によって熱源、及び赤外線を効率よく用いた暖房具を提供する。【解決手段】  赤外線照射の表面実装型ＬＥＤ、ＬＥＤテープ、及び砲弾型ＬＥＤから構成した、複数の熱変換可能な赤外線ＬＥＤ放熱板付熱変換具と折り曲げ癖を設けた熱伝導併放熱板、あるいは柔軟に曲がる熱伝導併放熱板と放熱フィルムの熱伝導材を用いて、当前記熱伝導併放熱板の表面に熱変換可能な赤外線ＬＥＤ放熱板付熱変換具を間隔開けて配列をし、密接に固着する。さらに当前記赤外線ＬＥＤ放熱板付熱変換具の周囲に熱伝導材を密接に固着し設ける。よって赤外線ＬＥＤに通電することで、熱伝導併放熱板と熱伝導材より放熱、及び赤外線ＬＥＤ放熱板付熱変換具の赤外線ＬＥＤから赤外線の照射をする赤外線ＬＥＤ熱変換暖房器具。【選択図】図２
2019214816.tif 000002
【特許請求の範囲】
【請求項１】
赤外線ＬＥＤの赤外線発光面を除いた周囲に放熱板を密着した赤外線ＬＥＤ放熱板付熱変換具と前記赤外線ＬＥＤ放熱板付熱変換具  を固着する熱伝導併放熱板を用いて、前記熱伝導併放熱板に折り曲げ癖を設け、前記折り曲げ癖の間隔ごとにブロック分けにし、ブロックごとの表面に一個又は複数個の前記赤外線ＬＥＤ放熱板付熱変換具を密接にして固着し、前記赤外線ＬＥＤに通電することで、前記熱伝導併放熱板から放熱、及び前記赤外線ＬＥＤ放熱板付熱変換具の前記赤外線ＬＥＤから赤外線の照射をすることを特徴とする赤外線ＬＥＤ熱変換暖房器具。
【請求項２】
赤外線ＬＥＤ放熱板付熱変換具と該赤外線ＬＥＤ放熱板付熱変換具を固着する柔軟に曲がる熱伝導併放熱板を用いて、前記柔軟に曲がる熱伝導併放熱板の表面に一個又は複数個の前記赤外線ＬＥＤ放熱板付熱変換具を密接に固着し、前記赤外線ＬＥＤに通電することで、前記柔軟に曲がる熱伝導併放熱板から放熱、及び前記赤外線ＬＥＤ放熱板付熱変換具の赤外線ＬＥＤから赤外線の照射をすることを特徴とする赤外線ＬＥＤ熱変換暖房器具。
【請求項３】
赤外線ＬＥＤテープを用いて、赤外線ＬＥＤの赤外線発光面を除いた周囲に放熱板を密着し、固着した赤外線ＬＥＤ放熱板付熱変換具と放熱フィルムの熱伝導材、又は合成樹脂系、樹脂の化合物の熱伝導材を用いて、前記熱伝導材の表面に前記赤外線ＬＥＤ放熱板付熱変換具を1個、又は複数個を固着、形成し、前記赤外線ＬＥＤに通電することで、前記赤外線ＬＥＤ放熱板付熱変換具の熱源を前記熱伝導から放熱、及び前記赤外線ＬＥＤから赤外線の照射をすることを特徴とする赤外線ＬＥＤ熱変換暖房器具。
【請求項４】
前記熱伝導併放熱板及び前記熱伝導材の放熱フィルムにバイブレータを設け、前記熱変換可能な赤外線ＬＥＤ放熱板付熱変換具に通電し、熱の放熱、及び赤外線の照射をするとともに、前記バイブレータの振動をすることを特徴とする請求項１、請求項２、請求項３記載の赤外線ＬＥＤ熱変換暖房器具。
【発明の詳細な説明】
【技術分野】
【０００１】
本発明は、赤外線発光ダイオード（以後赤外線ＬＥＤと記載する）の赤外線照射とともに熱効率のよい赤外線ＬＥＤ放熱板付熱変換具熱変換具を用いた暖房器具に関する。
【背景技術】
【０００２】
従来、電気によるニクロム線等のヒーターを用いて商用交流電源、又は電池電源を用いて暖房装置、小型携帯暖房器具がある、しかし衣服、あるいは寝具等により体の周から直接に温めるが、体への浸透効果が低く暖房器具は問題が生じるものである。
【０００３】
そこで、複数のＬＥＤを有するＬＥＤ基板と、ＬＥＤの発光側を覆う表カバーと、ＬＥＤの発光側と反対側を覆う裏カバーと、ＬＥＤ基板、表カバー及び裏カバーを保持するサイドフレームと、ＬＥＤと裏カバーの間に設けられた断熱材を備え、暖房機能を有し、表カバーは、ＬＥＤの光の半分以下を透過する（例えば特許文献１参照）
【先行技術文献】
【特許文献】
【０００４】
【特許文献１】実用新案登録第３１７４１６５号
【発明の概要】
【発明が解決しようとする課題】
【０００５】
しかし、特許文献１の発明のＬＥＤ暖房機は空洞内を発光して表カバーに吸収し、熱源とするが空洞内を経て熱源とするにはＬＥＤの弱い熱源の吸収にはロスが生じ、熱伝導の立ち上がりが遅く、また透過する光はロスとなる暖房機であることから熱効率が低いものである。
また、ＬＥＤ基板にアルミ部材を接するように配置されているが、基板を有する一体のＬＥＤの構造による基板の消費エネルギーであることから、上記の如く砲弾型ＬＥＤ等自体のＬＥＤ発光の発熱を熱源とするには熱効率に損失が多いものである。
【０００６】
また、赤外線ＬＥＤを用いて、前記記載の特許文献１と同様にして赤外線照射をしながら放熱をすることができる暖房具であっても、赤外線ＬＥＤをそのまま利用した暖房装置であっては熱効率が悪いものである。
よって、赤外線ＬＥＤを用いても、その効果を発揮することに難点がある。
【課題を解決するための手段】
【０００７】
そこで本発明は、上記の課題になされたもので、赤外線ＬＥＤの周囲に放熱用熱伝導材を密着し、熱変換を高効率に変換して熱源とし、赤外線を照射することが可能な赤外線ＬＥＤ放熱板付熱変換具を用いて、熱伝導併放熱板面上に複数の該赤外線ＬＥＤ放熱板付熱変換具を密着に固着し、固着した周囲面に密接に固着し、赤外線ＬＥＤの放熱量を効率よく放熱することで、身体の一部に装置できる形状にして、電池、又は商用交流電源より電力供給することで赤外線ＬＥＤから赤外線の照射、及び放熱を用いた暖房器具を提供するものである。
【０００８】
上記の目的を達成するために、本発明は赤外線ＬＥＤの赤外線発光面を除いた周囲に放熱板を密着した赤外線ＬＥＤ放熱板付熱変換具と前記赤外線ＬＥＤ放熱板付熱変換具を固着する熱伝導併放熱板を用いて、前記熱伝導併放熱板に折り曲げ癖を設け、前記折り曲げ癖の間隔ごとにブロック分けにし、ブロックごとの表面に一個又は複数個の前記赤外線ＬＥＤ放熱板付熱変換具を密接にして固着し、赤外線ＬＥＤに通電することで、前記熱伝導併放熱板から放熱、及び前記赤外線ＬＥＤ放熱板付熱変換具の赤外線ＬＥＤから赤外線の照射をすることを特徴とする。
【０００９】
また、赤外線ＬＥＤ放熱板付熱変換具と該赤外線ＬＥＤ放熱板付熱変換具を固着する柔軟に曲がる熱伝導併放熱板を用いて、前記柔軟に曲がる熱伝導併放熱板の表面に一個又は複数個の前記赤外線ＬＥＤ放熱板付熱変換具を密接に固着し、前記赤外線ＬＥＤに通電することで、前記柔軟に曲がる熱伝導併放熱板から放熱、及び前記赤外線ＬＥＤ放熱板付熱変換具の赤外線ＬＥＤから赤外線の照射をすることを特徴とする。
【００１０】
また、赤外線ＬＥＤテープ、又はチップ赤外線ＬＥＤを用いて、赤外線ＬＥＤの赤外線発光面を除いた周囲に放熱板を密着し、固着した赤外線ＬＥＤ放熱板付熱変換具と放熱フィルムの熱伝導材、又は合成樹脂系、樹脂の化合物の熱伝導材を用いて、前記熱伝導材の表面に前記赤外線ＬＥＤ放熱板付熱変換具を1個、又は複数個を固着し、固着した表面に前記熱伝導材、又は絶縁材を用いて、赤外線を透過できるように固着、形成し、前記赤外線ＬＥＤに通電することで、赤外線ＬＥＤ放熱板付熱変換具の熱源を前記熱伝導から放熱、及び前記赤外線ＬＥＤから赤外線の照射をすることを特徴とする。
【００１１】
また、前記熱伝導併放熱板及び前記熱伝導材の放熱フィルムにバイブレータを設け、前記熱変換可能な赤外線ＬＥＤ放熱板付熱変換具に通電し、熱の放熱、及び赤外線の照射をするとともに、前記バイブレータの振動をすることを特徴とする。
【００１２】
また、柔軟に曲がる熱伝導併放熱板の前面に前記赤外線ＬＥＤ放熱板付熱変換具を密接に一個又は複数個を固着した表面に絶縁材料、又は熱伝導材であって絶縁材料の防水樹脂材を塗着し、防水加工したことを特徴とする。
【発明の効果】
【００１３】
以上の説明から明らかのように、本発明にあっては次に列挙する効果が得られる。
【００１４】
従来にない高効率のできる熱変換できる赤外線ＬＥＤ放熱板付熱変換具の熱源を用いて、熱伝導効率の良い金属板に密接に配列したことで赤外線照射とともに熱効率が良い、省エネの暖房具である。
【００１５】
また、柔軟に曲がる熱伝導材であることで肩、膝、又は腰など体の形状にあわせ自在に折り曲げ、あるいは変形し装着することが容易である。
【００１６】
請求項３より、赤外線ＬＥＤテープ型、又は表面実装型ＬＥＤの薄い小型赤外線ＬＥＤを用いて、薄い構造にすることで手袋内、足袋や靴下内に入れた暖房具とすることができる。
【００１７】
請求項４より、人体の皮膚表面より熱、赤外線照射を加え、血流を良くしながらバイブレータの振動を体内に伝え快適にする暖房具である。
【図面の簡単な説明】
【００１８】
【図１】本発明の第一実施例において、ａ）図は底面熱伝導併放熱板面に赤外線ＬＥＤ放熱板付熱変換具を固着する状態の要部斜視図である。ｂ）図は底面熱伝導併放熱板面に複数の赤外線ＬＥＤ放熱板付熱変換具を配置し固着した要部側面図である。
【図２】本発明の第一実施例の図１より、ａ）図は底面熱伝導併放熱板面に折り目癖ごとのブロック分けに赤外線ＬＥＤ放熱板付熱変換具を固着して周囲に表面熱伝導併放熱板を固着した正面図である。ｂ）図はａ）図のＺ−Ｚに沿った断面図、ｃ）図はｂ）図より折り目癖ごとに折り曲げた状態の断面図である。
【図３】本発明の第一実施例の図２、ｃ）図の示す折り曲げた状態で肩に装着状態の正面図である。
【図４】本発明の第一実施例において、ａ）図は底面熱伝導併放熱板面に赤外線ＬＥＤ放熱板付熱変換具を固着し、該底面熱伝導併放熱板の裏面に断熱材を2層に設け、全体を柔軟なカバーで覆った状態の断面図である。ｂ）図は上記ａ）図のＹ−Ｙ部分の要部拡大断面図である。
【図５】本発明の第二実施例において、全体が柔軟に曲がる熱伝導併放熱板面に赤外線ＬＥＤ放熱板付熱変換具を固着し、前面に柔軟に曲がる前面熱伝導併放熱板を密着して設けて曲げた状態の斜視図である。
【図６】本発明の第三実施例において、ａ）図は赤外線ＬＥＤの表面側と基板側にテープ用表面放熱板とテープ用基板放熱板を構成する斜視図である。ｂ）図は赤外線ＬＥＤテープの表面側と基板側に放熱板を密着に固着したテープ型の赤外線ＬＥＤ放熱板付熱変換具の正面図である。ｃ）図はｂ）図のＳ−Ｓ部分の断面図である。
【図７】本発明の第三実施例において、ａ）図は6図のテープ型の赤外線ＬＥＤ放熱板付熱変換具を底面熱伝導併放熱フィルムに固着する正面図である。ｂ）図は表面熱伝導併放熱フィルムと底面熱伝導併放熱フィルムの間にテープ型の赤外線ＬＥＤ放熱板付熱変換具を固着する側面図である。ｃ）図はテープ型の赤外線ＬＥＤ放熱板付熱変換具に熱伝導併放熱フィルムを表面、及び底面に固着した側面図である。
【図８】本発明の第四実施例において、ａ）図は底面熱伝導併放熱板面に赤外線ＬＥＤ放熱板付熱変換具を固着した面にバイブレータを取付けた状態の正面図である。ｂ）図は上記ａ）図のＸ−Ｘ部分の要部拡大断面図である。
【図９】赤外線ＬＥＤ熱変換暖房具の参考の一例を示す図で、ａ）図は熱伝導併放熱板面に赤外線ＬＥＤ放熱板付熱変換具を複数固着し、サーミスター装着した前面に絶縁材料の防水樹脂材を塗着した斜視図である。ｂ）図はＴ−Ｔに沿った断面図である。
【図１０】第一実施例、第二実施例、及び第三実施例における参考のブロック回路図である。
【図１１】第四実施例における一例のブロック回路図である。
【発明を実施するための形態】
【００１９】
本発明の実施形態について図面を参照しながら説明する。
【００２０】
最初に、本発明の第一実施例の形態について、図１から図４及び図10を参照して説明する。
図１は本発明の第一実施例において、
ａ）図は底面熱伝導併放熱板面に赤外線ＬＥＤ放熱板付熱変換具を固着する状態の要部斜視図である。
ｂ）図は底面熱伝導併放熱板面に複数の赤外線ＬＥＤ放熱板付熱変換具を配置し固着した要部側面図である。
図２は本発明の第一実施例の図１より、
ａ）図は底面熱伝導併放熱板面に折り目癖ごとのブロック分けに赤外線ＬＥＤ放熱板付熱変換具を固着し、当前記赤外線ＬＥＤ放熱板付熱変換具の周囲に表面熱伝導併放熱板を固着した正面図である。
ｂ）図はａ）図のＺ−Ｚに沿った断面図、
ｃ）図はｂ）図より折り目癖ごとに折り曲げた状態の断面図である。
図３は本発明の第一実施例の図２、ｃ）図の示す折り曲げた状態で肩に装着状態の正面図である。
図４は本発明の第一実施例において、
ａ）図は底面熱伝導併放熱板面に赤外線ＬＥＤ放熱板付熱変換具を固着し、該底面熱伝導併放熱板の裏面に断熱材を2層に設け、全体を柔軟なカバーで覆った状態の断面図である。
ｂ）図は上記ａ）図のＹ−Ｙ部分の要部拡大断面図である。
図10は第一実施例における参考のブロック回路図である。
【００２１】
図１から図４及び図10に示すが如く、第一実施例の赤外線ＬＥＤ熱変換暖房器具Ａにおいて、該赤外線ＬＥＤ熱変換暖房器具Ａは赤外線ＬＥＤ放熱板付熱変換具ａを用いた構成である。
ここで、赤外線ＬＥＤ放熱板付熱変換具ａは、赤外線ＬＥＤ１の赤外線発光面（赤外線ＬＥＤトップ面２）及び電極リード線４除いた周囲全体面に熱伝導材の表面放熱板３及び底面側に基板放熱板31を密接に固着する。密接に固着するにあたり放熱用接着剤を用いて赤外線発光面、及び電極リード線４を除いた底面側、側面側の周囲に塗布し、塗布した周囲に表面放熱板３及び底面側に基板放熱板31を密着した構成の赤外線ＬＥＤ放熱板付熱変換具ａである。
よって、前記赤外線ＬＥＤ放熱板付熱変換具ａは赤外線ＬＥＤ１を用いて、通電して動作時に赤外線ＬＥＤ１の周囲の熱を表面放熱板３及び底面側の基板放熱板31の熱伝導材により効率よく熱伝導をし、熱源の放熱と赤外線を照射する赤外線ＬＥＤ放熱板付熱変換具ａである。
なお、放熱用接着剤には接着力を有するシリコン樹脂の化合物、１液室温軟化型・放熱用接着剤、強粘着性アルカリ接着剤などの合成樹脂系の接着剤を用いることが可能である。
【００２２】
なお、第一実施例の説明に用いた赤外線ＬＥＤは一例として、その仕様はパワー赤外線ＬＥＤの名称，Ｖｒ：5Ｖ、Ｐｄ：2000ｍＷ、Ｖｆ：1.7Ｖ〜2.0Ｖ、＠700ｍＡ、波長850ｎｍをもとに以下説明する。
なお、前記記載のパワー赤外線ＬＥＤ以外に表面実装型ＬＥＤ、砲弾型ＬＥＤ、テープ型ＬＥＤ等で一台当たりの電流値＠２０ｍＡ〜＠２００ｍＡ、又はその前後のＬＥＤを用いることで、省電力で構造的に薄い構造で小型なＬＥＤ暖房装置を構成しりことも可能である。                                                                      
【００２３】
赤外線ＬＥＤ熱変換暖房器具Ａを図１、及び図２の構成において、６は折り目癖６Aを間隔おいて数か所設けて、ブロック分けにした底面熱伝導併放熱板である。
また、10は熱伝導材で底面熱伝導併放熱板６と分離型表面熱伝導併放熱板9の間に熱伝導材10を固着する。
よって、該熱伝導材10は底面熱伝導併放熱板６のブロック分けごとに赤外線ＬＥＤ放熱板付熱変換具ａに固着した周囲表面に前記熱伝導材10を密接に固着し設けて、その表面に密接に固着する分離型表面熱伝導併放熱板９の構成である。
該分離型表面熱伝導併放熱板９を密接に固着するにあたり、赤外線ＬＥＤ１の赤外線トップ２の赤外線発光面を除いて設けることで赤外線ＬＥＤ１の赤外線を前面に照射をするように設ける。
さらに、分離型表面熱伝導併放熱板９は赤外線ＬＥＤ放熱板付熱変換具ａの熱源を前面に効率よく放熱をするものである。
８は赤外線ＬＥＤ放熱板付熱変換具ａより放熱する温度を感知するサーミスターである。５は分離型表面熱伝導併放熱板９より赤外線ＬＥＤ１の赤外線照射をする赤外線ＬＥＤトップ２の前面の赤外線照射孔である。
【００２４】
また、底面熱伝導併放熱板６と分離型表面熱伝導併放熱板９に用いる熱伝導併放熱板の材料において、金属板を用いる熱伝導材においては熱伝導効率がよい銅、アルミ、ステンレス等の金属類で、該熱伝導併放熱板の金属以外を用いる熱伝導材に放熱フィルム、放熱シート、シート状熱伝導ゲル、及びシリコン樹脂の化合物等を用いることで、軽く、薄い構造が可能となる。
また、底面熱伝導併放熱板６と表面熱伝導併放熱板９との間に固着する熱伝導材10について、熱伝導効率がよい銅、アルミ、ステンレス等の金属類、あるいは、放熱フィルム、放熱シート、シート状熱伝導ゲル、及び合成樹脂系、シリコン樹脂の化合物、又は放熱用接着材を接着、又は塗着することで密着力が増すものである。
【００２５】
図８の11はサーミスター電極線、12は底面熱伝導併放熱板６の裏面に密接に設けた断熱材で内側断熱材、13は当前記内側断熱材12の面に設けた断熱材で外側断熱材である。赤外線ＬＥＤ熱変換暖房器具Ａの全体を覆った柔軟性カバーである。
【００２６】
よって、本発明の第一実施例の図１、図２から放熱板３と赤外線ＬＥＤ１、赤外線ＬＥＤトップ２の構造である赤外線ＬＥＤ放熱板付熱変換具ａの４台を用いて、底面熱伝導併放熱板６に折り曲げ癖６Aを設けて柔軟に曲がることが可能な状態となる、また折り曲げ癖６A間隔ごとにブロック分けにして、ブロックごとに一個又は複数個（図においては1個を記載）の赤外線ＬＥＤ放熱板付熱変換具aを密接にして固着する。
赤外線ＬＥＤ放熱板付熱変換具ａをブロックごとに分けて固着した底面熱伝導併放熱板６の面に熱伝導材10を密接に固着し、その上面に赤外線照射孔５を設けた分離型表面熱伝導併放熱板９を密接に固着することで、図２のように赤外線ＬＥＤ放熱板付熱変換具ａの４か所のブロック間隔の構成である。
しかし、パワー赤外線ＬＥＤ以外の赤外線ＬＥＤは一例として、その仕様は小型赤外線（20ｍＡ〜300ｍＡ程度）チップ型ＬＥＤ、表面実装型ＬＥＤ、及び砲弾型ＬＥＤ、等を利用においては、複数の赤外線ＬＥＤを用いてブロックごとに固着し構成することも可能である。
【００２７】
また、図４に示すように、底面熱伝導併放熱板６の裏面に熱放出を防ぐため内側断熱材12と外側断熱材13を二層に装着をし、前面に効率よく放熱をするとともに赤外線の照射すようにした赤外線ＬＥＤ熱変換暖房器具Ａにして、該赤外線ＬＥＤ熱変換暖房器具Ａの全体を柔軟性カバーで覆うように形成したものである。
【００２８】
また、温度設定をし、温度上昇を範囲内一定にするため、サーミスター８を底面熱伝導併放熱板６の面に設置し、赤外線ＬＥＤへの電源供給、温度調整をコントロール回路17のブロック回路図を図10に示した。
【００２９】
なお、一例として赤外線ＬＥＤの赤外線の透過試験について、図１、図２に示した赤外線ＬＥＤ熱変換暖房器具Ａの赤外線ＬＥＤ１台目の表面に豚肉を覆うように乗せ、当前記赤外線ＬＥＤ１に約400ｍＡ供給し、赤外線が透過する状況を観測の結果約40ｍｍの厚さまで透過することが確認できたものである。
よって、身体においても赤外線の浸透することが可能である。
なお、赤外線ＬＥＤの表面実装型ＬＥＤ、砲弾型ＬＥＤ、及びテープ型ＬＥＤ等の省電力、例として一台あたりの＠２０ｍＡ〜＠３００ｍＡ等の動作電流の赤外線照射が少ない赤外線ＬＥＤでも、前記記載の豚肉透過試験において赤外線透過は減少するが透過が可能である。
【００３０】
したがって、上記の構造により図１、図２の回路構成は図10に示すように、赤外線ＬＥＤ放熱板付熱変換具aを用いて４台を接続し、直流電源供給することで赤外線ＬＥＤ１の放熱をする。
よって、赤外線ＬＥＤ１の素子部、底面、又は周囲より放熱し、放熱は底面熱伝導併放熱板６へ熱伝導し、底面熱伝導併放熱板６の面に固着した熱伝導材10と熱伝導材10の表面に固着した分離型表面熱伝導併放熱板９に熱伝導して、前面より放熱をし、赤外線照射孔５より赤外線を前面に照射をする。
また、赤外線ＬＥＤ１の放熱制御をコントロール回路17で温度設定をすることで、温度上昇をサーミスター８の抵抗値変化により赤外線ＬＥＤ熱変換暖房器具Ａの温度を設定温度に保つ動作をする。
【００３１】
よって、赤外線ＬＥＤ熱変換暖房器具Ａを図３に示すように肩の幅に合わせるように折り曲げ癖６A間隔ごとにブロック分けにした部分より折り曲げて肩に乗せ、電源回路16の電源スイッチをＯＮにすることでＮＣ型リレースイッチを経て赤外線ＬＥＤ放熱板付熱変換具ａに電圧が加わり、電源供給となり肩を中心に赤外線の照射と同時に放熱をし、血行を促進し、温めることができる。
身体の温める温度をコントロール回路17で設定することで、設定温度に達するとサーミスターの温度検知により、赤外線ＬＥＤ熱変換暖房器具Ａへの電源供給をＯＮ，ＯＦＦを繰返すことで設定温度を保つように作用をする。
【００３２】
また、本発明の第二実施例の形態について、図５を参照して説明する。
図５は本発明の第二実施例において、全体が柔軟に曲がる熱伝導併放熱板面に赤外線ＬＥＤ放熱板付熱変換具を固着し、前面に柔軟に曲がる熱伝導併放熱板を密着して設けた曲げた状態の斜視図である。
図10は第二実施例における参考のブロック回路図である。
【００３３】
本発明の第二実施例の赤外線ＬＥＤ熱変換暖房器具Ａを図５に示すように、全体が柔軟に曲がる底面熱伝導併放熱板61前面に複数の赤外線ＬＥＤ放熱板付熱変換具aを密接に固着し、サーミスターを取付ける。
底面熱伝導併放熱板61の面に赤外線ＬＥＤ放熱板付熱変換具ａを固着した周囲に熱伝導材10を密接に固着し、熱伝導材10の表面に赤外線ＬＥＤ１の赤外線ＬＥＤトップ２の赤外線照射孔５を設けた薄い表面熱伝導併放熱板91を密接に接着し設ける。
【００３４】
なお、柔軟に曲がる底面熱伝導併放熱板61と表面熱伝導併放熱板91の各熱伝導併放熱板の用いる金属板は熱伝導効率がよい銅、アルミ、ステンレス等の金属類で、該熱伝導併放熱板の金属以外を用いる熱伝導材に放熱フィルム、放熱シート、シート状熱伝導ゲル、及びシリコン樹脂の化合物等を用いることで、軽く、薄い構造が可能となる。
また、底面熱伝導併放熱板61と表面熱伝導併放熱板91との間に固着する熱伝導材10について、熱伝導効率がよい銅、アルミ、ステンレス等の金属類、あるいは放熱フィルム、放熱シート、シート状熱伝導ゲル、及び合成樹脂系、シリコン樹脂の化合物、又は放熱用接着材を接着、又は塗着する。
【００３５】
したがって、本赤外線ＬＥＤ熱変換暖房器具Ａを身体に装着において、体の曲線に合わせて赤外線ＬＥＤ熱変換暖房器具Ａの底面熱伝導併放熱板61、表面熱伝導併放熱板91を状況に応じ曲げて装着し、通電することで赤外線ＬＥＤ１の赤外線の照射とともに放熱をする。
よって、赤外線ＬＥＤ１の赤外線照射と放熱は、赤外線ＬＥＤ１の素子部、底面、又は周囲より放熱し、放熱は底面熱伝導併放熱板61へ熱伝導し、底面熱伝導併放熱板61の面に固着した熱伝導材10と熱伝導材10の表面に固着した表面熱伝導併放熱板91の前面より放熱をし、赤外線照射孔５より赤外線を前面に照射をする。
【００３６】
なお、本発明の第一実施例、第二実施例において赤外線ＬＥＤ熱変換暖房器具Ａを肩に乗せる以外に膝、腰、背中にあてて利用することができるものである。
【００３７】
また、本発明の第一実施例、第二実施例の赤外線ＬＥＤにおいて各種存在する中の例として、表面実装型ＬＥＤ、チップ型ＬＥＤ、砲弾型ＬＥＤ、テープ型ＬＥＤ等がある。
【００３８】
また、本発明の第三実施例の形態について、図６の図ａ）、図ｂ）及びｃ）図、7図の図ａ）、図ｂ）及び図ｃ）を参照して説明する。
【００３９】
図６は本発明の第三実施例の用いる赤外線ＬＥＤテープを用いて構成した、赤外線ＬＥＤ放熱板付熱変換具a1において、ａ）図は赤外線ＬＥＤテープの表面側と基板側にテープ型表面放熱板とテープ型基板放熱板を固着する組立の斜視図である。ｂ）図は赤外線ＬＥＤテープの表面側と基板側に放熱板を密着に固着したテープ型の赤外線ＬＥＤ放熱板付熱変換具a1の正面図である。ｃ）図はｂ）図のＳ−Ｓ部分の断面図である。
図7は本発明の第三実施例の赤外線ＬＥＤ熱変換暖房具ATにおいて、ａ）図は6図のテープ型の赤外線ＬＥＤ放熱板付熱変換具a1を底面熱伝導併放熱フィルム63に固着する正面図である。ｂ）図は表面熱伝導併放熱フィルム91Aと底面熱伝導併放熱フィルム63の間にテープ型の赤外線ＬＥＤ放熱板付熱変換具a1を固着する側面図である。ｃ）図はテープ型の赤外線ＬＥＤ放熱板付熱変換具ATに熱伝導併放熱フィルムを表面、及び底面に固着した側面図である。
図10は第三実施例における参考のブロック回路図である。
【００４０】
図６、図７及び図10に示すが如く、第三実施例の赤外線ＬＥＤ熱変換暖房器具ATにおいて、該赤外線ＬＥＤ熱変換暖房器具ATはテープ型の赤外線ＬＥＤ放熱板付熱変換具ａ1を用いた構成である。
テープ型の赤外線ＬＥＤ放熱板付熱変換具a1は図６に示すように、1tは赤外線ＬＥＤテープである。該赤外線ＬＥＤテープ1tはテープ面に複数設けられた赤外線ＬＥＤ１を用いて動作時に赤外線ＬＥＤ１の周囲の熱を前面のテープ型表面放熱板3A及び底面側のテープ型基板放熱板31Aの熱伝導材を用いて、効率よく熱伝導をし、一つ熱源とするテープ型の赤外線ＬＥＤ放熱板付熱変換具a1である。
ここで、該テープ型の赤外線ＬＥＤ放熱板付熱変換具a1は、該赤外線ＬＥＤ１の赤外線照射部分除いた周囲全体面に熱伝導材による前面にテープ表面放熱板3A及び底面側に基板放熱板31Aを赤外線ＬＥＤ１に密接に固着するため、放熱用接着剤を用いて赤外線発光面、及び電極リード線４を除いた底面側、側面側の周囲に塗布し、塗布した前面にテープ型表面放熱板3A及び底面側にテープ型基板放熱板31Aを密着に固着し、設けたテープ型の赤外線ＬＥＤ放熱板付熱変換具a1である。
【００４１】
よって、第三実施例の赤外線ＬＥＤ熱変換暖房器具ATの構成において、図７に示すように、底面熱伝導併放熱フィルム63と表面熱伝導併放熱フィルム91Aを用いて、底面熱伝導併放熱フィルム63の面にテープ型の赤外線ＬＥＤ放熱板付熱変換具a1を複数（図7においては2個を記載）密接に固着し、固着した全体の前面に表面熱伝導併放熱フィルム91Aを密接に固着する。表面熱伝導併放熱フィルム91Aを密接に固着する状態は、底面熱伝導併放熱フィルム63の面とテープ型の赤外線ＬＥＤ放熱板付熱変換具a1の面に密接することで熱伝導の損失を減少し、熱効率を上げる。また表面熱伝導併放熱フィルム91Aの面に赤外線照射孔５を設けて赤外線ＬＥＤ1よりの赤外線照射を減少しないように設ける。
８はテープ型の赤外線ＬＥＤ放熱板付熱変換具a1より放熱する温度を感知するサーミスターである。
なお、テープ型の赤外線ＬＥＤ放熱板付熱変換具a1において、底面熱伝導併放熱フィルム63の前面に表面熱伝導併放熱フィルム91Aの熱伝導材の代わりに絶縁材用いて、赤外線を透過できるように設けることも可能である。
【００４２】
また、前記記載の底面熱伝導併放熱フィルム63、表面熱伝導併放熱フィルム91Aの熱伝導材の放熱フィルムの材料において、放熱フィルム、放熱シート、シート状熱伝導ゲル、及びシリコン樹脂の化合物等を用いることで、軽く、薄い構造が可能となる。
また、密接に固着するにあたり放熱伝導材接着剤を用いて接着を容易にする。
【００４３】
なお、底面熱伝導併放熱フィルム63の裏面に密接に設ける断熱材を設けることで、外面側に放熱を防ぐようにすることで、放熱損失を減少するような構造にする。
【００４４】
また、温度設定をし、温度上昇を範囲内一定にするため、サーミスター８を底面熱伝導併放熱フィルム63の面に設置し、赤外線ＬＥＤ１への電源供給し、放熱の温度調整をするもので、サーミスター８の検知をコントロール回路17に送り制御するブロック回路図を図10に示した。
【００４５】
したがって、上記の構造により図６、図７の回路構成は図10に示すように、底面熱伝導併放熱フィルム63と表面熱伝導併放熱フィルム91Aの間に複数台（図7においては2台を記載）密接に固着し、設けたテープ型の赤外線ＬＥＤ放熱板付熱変換具a1に直流電源供給することで赤外線ＬＥＤ１が点灯動作をする。
よって、赤外線ＬＥＤ１の素子部、底面、又は周囲より放熱し、放熱は底面熱伝導併放熱フィルム63へ熱伝導し、さらに表面熱伝導併放熱フィルム91Aにン熱伝導し、前面に放熱をすると同時に赤外線を赤外線照射孔５より前面に照射をする。
また、赤外線ＬＥＤ１の放熱制御をコントロール回路17で温度設定をすることで、温度上昇をサーミスター８の抵抗値変化により赤外線ＬＥＤ熱変換暖房器具ATの温度を設定温度に保つ制御をする。
【００４６】
以上のことから、テープ型の赤外線ＬＥＤ放熱板付熱変換具a1を備えた赤外線ＬＥＤ熱変換暖房器具ATは薄く、軽量であるので様々な身体に装着が可能である。
ここで、手袋内、足袋内等の暖房などに用いることができ、温める温度をコントロール回路17で設定することで、設定温度に達するとサーミスターの温度検知により、赤外線ＬＥＤ熱変換暖房器具ATへの電源供給をＯＮ，ＯＦＦを繰返すことで設定温度を保つように制御することで血行を促進し、温めることができるものである。
【００４７】
なお、赤外線ＬＥＤテープにも用いる薄いチップ型赤外線ＬＥＤ、表面実装型赤外線ＬＥＤを赤外線ＬＥＤ放熱板付熱変換具にして、底面熱伝導併放熱フィルムに密接に固着することでテープ型の赤外線ＬＥＤ放熱板付熱変換具と同様に薄く軽い赤外線ＬＥＤ熱変換暖房器具とした構造にできる。
【００４８】
また、本発明の第四実施例の形態について図８の図ａ）及び図ｂ）を参照して説明する。
【００４９】
図８、ａ）図は底面熱伝導併放熱板面に赤外線ＬＥＤ放熱板付熱変換具を固着した面にバイブレータを取付けた状態の正面図である。
図８、ｂ）図は上記ａ）図のＸ−Ｘ部分の要部拡大断面図である。
図11、第四実施例における参考のブロック回路図である。
【００５０】
図８のａ）図、ｂ）図に示すが如く、第四実施例の赤外線ＬＥＤ放熱板付熱変換具ａを用いた赤外線ＬＥＤ熱変換暖房器具Ａの構成において、１は赤外線ＬＥＤ、２は赤外線ＬＥＤトップの面、３は赤外線ＬＥＤの赤外線発光面および電極リード線４を除いた周囲を密接に装着した放熱板である。よって赤外線ＬＥＤ放熱板付熱変換具は放熱板３と赤外線ＬＥＤ１、赤外線ＬＥＤトップ２一体を底面熱伝導併放熱板62に密接に固着し、Ｂは底面熱伝導併放熱板６の一端に取付けたバイブレータで、７はバイブレータ電極線、ＶＲはバイブレータ強弱ボリュウム、ＳＷ１はバイブレータへの電源供給スイッチである。
【００５１】
したがって、上記の構造により本発明の第四実施例のバイブレータを備えた赤外線ＬＥＤ熱変換暖房器具Ａを身体に装着し、主電源スイッチSW0をＯＮにし、通電することで赤外線照射とともに暖房作用をするとき、必要に応じてバイブレータ電源スイッチSW1をＯＮにすることでバイブレータＢが動作をし、身体に温熱効果と赤外線照射をしながら振動を伝える。また振動の強から弱の変化をボリュウムＶＲの抵抗値の変化により振動の調整をおこなうことで、それぞれにあう振動状態にできる。
【００５２】
なお、本発明の参考の実施例の形態について図９の図ａ）及び図ｂ）を参照して説明する。
【００５３】
図９は本発明の参考の実施例において、
ａ）図は熱伝導併放熱板面に赤外線ＬＥＤ放熱板付熱変換具を複数配置固着し、サーミスター８を取付けした前面に絶縁材料、又は熱伝導材であって絶縁材料の防水樹脂材を塗着した斜視図である。
ｂ）図はＴ−Ｔに沿った断面図である。
【００５４】
図９のａ）図、ｂ）図に示すが如く、第四施例の赤外線ＬＥＤ放熱板付熱変換具ａを用いた赤外線ＬＥＤ熱変換暖房器具Ａ1の構成において、１は赤外線ＬＥＤ、２は赤外線ＬＥＤトップの面、３は赤外線ＬＥＤの赤外線発光面および電極リード線４を除いた周囲を密接に固着した放熱板である。よって赤外線ＬＥＤ放熱板付熱変換具ａの赤外線ＬＥＤ１と放熱板３の一体を底面熱伝導併放熱板62に密接に固着し、その全体の面に耐熱であって絶縁材料、又は熱伝導材であって絶縁材料の防水樹脂材15を塗着した構造である。
【００５５】
したがって、上記の構造により赤外線ＬＥＤ熱変換暖房器具Ａ1は防水樹脂材15の塗着のことから全体が柔軟性となり、曲がり変形が極めて容易で身体に装着を容易にすることができる。
【００５６】
よって、赤外線ＬＥＤ１の赤外線照射と放熱は、赤外線ＬＥＤ１に電源供給をすることで赤外線を照射し、素子部、底面、又は周囲より放熱し、放熱は底面熱伝導併放熱板6２へ熱伝導し、底面熱伝導併放熱板6２の面に塗着した絶縁材料の防水樹脂材15より放熱と赤外線照射をすることで、防水効果を有することから湿気の多い環境であっても利用することができる。
【００５７】
また、暖かさが必要な植物において土壌内に赤外線ＬＥＤ熱変換暖房器具Ａ1を入れ、植物の種類において必要な温度設定をし、動作をすることで常に一定の温度を保ちながら根の部分に赤外線照射をすることで発育を促進するものである。
【００５８】
参考例より、赤外線ＬＥＤ放熱板付熱変換具熱変換暖房具は防水機能を有していることから多湿、水を受ける状態においても暖房と赤外線照射として用いることができる。また土壌内に埋め込み植物の発育に役立てることが可能である。
【００５９】
なお、第一実施、第二実施例、第三実施例、及び第四実施例において赤外線ＬＥＤ以外に白色ＬＥＤ、赤色ＬＥＤ等の他色ＬＥＤを用いてＬＥＤ暖房具の構造も可能である。
【符号の説明】
【００６０】
Ａ：Ａ1：ＡＴは赤外線ＬＥＤ熱変換暖房器具
ａは赤外線ＬＥＤ放熱板付熱変換具
a1はテープ型の赤外線ＬＥＤ放熱板付熱変換具
Ｂはバイブレータ  
Ｃは肩
VRは可変抵抗器
SW0は主電源スイッチ
SW1はバイブレータ電源スイッチ
Ｌはリレースイッチ
1は赤外線ＬＥＤ
1tは赤外線ＬＥＤテープ
２は赤外線ＬＥＤトップ
３は表面放熱板
31は基板放熱板
3Aはテープ型表面放熱板
31Aはテープ型基板放熱板
４は赤外線ＬＥＤ電極リード線
５は赤外線照射孔
６は底面熱伝導併放熱板
61：62は柔軟に曲がる底面熱伝導併放熱板
63は 底面熱伝導併放熱フィルム
6Aは折り曲げ癖
７はバイブレータ電極線
８はサーミスター
９は分離型表面熱伝導併放熱板
91は表面熱伝導併放熱板
91Aは表面熱伝導併放熱フィルム
10は熱伝導材
11はサーミスター電極線
12は内側断熱材
13は外側断熱材
14は柔軟性カバー
15は絶縁材料、又は熱伝導材であって絶縁材料の防水樹脂材
16は電源
17はコントロール回路
【図１】
2019214816.tif 000003
【図２】
2019214816.tif 000004
【図３】
2019214816.tif 000005
【図４】
2019214816.tif 000006
【図５】
2019214816.tif 000007
【図６】
2019214816.tif 000008
【図７】
2019214816.tif 000009
【図８】
2019214816.tif 000010
【図９】
2019214816.tif 000011
【図１０】
2019214816.tif 000012
【図１１】
2019214816.tif 000013
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
赤外線ＬＥＤの赤外線発光面を除いた周囲に放熱板を密着した赤外線ＬＥＤ放熱板付熱変換具と前記赤外線ＬＥＤ放熱板付熱変換具を固着する熱伝導併放熱板を用いて、前記熱伝導併放熱板に折り曲げ癖を設け、前記折り曲げ癖の間隔ごとにブロック分けにし、ブロックごとの表面に一個又は複数個の前記赤外線ＬＥＤ放熱板付熱変換具を密接にして固着し、前記赤外線ＬＥＤに通電することで、前記熱伝導併放熱板から放熱、及び前記赤外線ＬＥＤ放熱板付熱変換具の前記赤外線ＬＥＤから赤外線の照射をすることを特徴とする赤外線ＬＥＤ熱変換暖房器具。
【請求項２】
赤外線ＬＥＤ放熱板付熱変換具と該赤外線ＬＥＤ放熱板付熱変換具を固着する柔軟に曲がる熱伝導併放熱板を用いて、前記柔軟に曲がる熱伝導併放熱板の表面に一個又は複数個の前記赤外線ＬＥＤ放熱板付熱変換具を密接に固着し、赤外線ＬＥＤに通電することで、前記柔軟に曲がる熱伝導併放熱板から放熱、及び前記赤外線ＬＥＤ放熱板付熱変換具の赤外線ＬＥＤから赤外線の照射をすることを特徴とする赤外線ＬＥＤ熱変換暖房器具。
【請求項３】
赤外線ＬＥＤテープを用いて、赤外線ＬＥＤの赤外線発光面を除いた周囲に放熱板を密着し、固着した赤外線ＬＥＤ放熱板付熱変換具と放熱フィルムの熱伝導材、又は合成樹脂系、樹脂の化合物の熱伝導材を用いて、前記熱伝導材の表面に前記赤外線ＬＥＤ放熱板付熱変換具を1個、又は複数個を固着、形成し、前記赤外線ＬＥＤに通電することで、前記赤外線ＬＥＤ放熱板付熱変換具の熱源からの熱を前記熱伝導材から放熱、及び前記赤外線ＬＥＤから赤外線の照射をすることを特徴とする赤外線ＬＥＤ熱変換暖房器具。
【請求項４】
前記熱伝導併放熱板及び前記熱伝導材の放熱フィルムにバイブレータを設け、前記熱変換可能な赤外線ＬＥＤ放熱板付熱変換具に通電し、熱の放熱、及び赤外線の照射をするとともに、前記バイブレータの振動をすることを特徴とする請求項１、請求項２、請求項３記載の赤外線ＬＥＤ熱変換暖房器具。
【手続補正２】
【補正対象書類名】明細書
【補正対象項目名】０００９
【補正方法】変更
【補正の内容】
【０００９】
また、赤外線ＬＥＤ放熱板付熱変換具と該赤外線ＬＥＤ放熱板付熱変換具を固着する柔軟に曲がる熱伝導併放熱板を用いて、前記柔軟に曲がる熱伝導併放熱板の表面に一個又は複数個の前記赤外線ＬＥＤ放熱板付熱変換具を密接に固着し、赤外線ＬＥＤに通電することで、前記柔軟に曲がる熱伝導併放熱板から放熱、及び前記赤外線ＬＥＤ放熱板付熱変換具の赤外線ＬＥＤから赤外線の照射をすることを特徴とする。
【手続補正３】
【補正対象書類名】明細書
【補正対象項目名】００１０
【補正方法】変更
【補正の内容】
【００１０】
また、赤外線ＬＥＤテープ、又はチップ赤外線ＬＥＤを用いて、赤外線ＬＥＤの赤外線発光面を除いた周囲に放熱板を密着し、固着した赤外線ＬＥＤ放熱板付熱変換具と放熱フィルムの熱伝導材、又は合成樹脂系、樹脂の化合物の熱伝導材を用いて、前記熱伝導材の表面に前記赤外線ＬＥＤ放熱板付熱変換具を1個、又は複数個を固着し、固着した表面に前記熱伝導材、又は絶縁材を用いて、赤外線を透過できるように固着、形成し、前記赤外線ＬＥＤに通電することで、赤外線ＬＥＤ放熱板付熱変換具の熱源からの熱を前記熱伝導材から放熱、及び前記赤外線ＬＥＤから赤外線の照射をすることを特徴とする。